(57)【要約】【課題】  レンズの偏心調整を簡単にする。【解決手段】  ズームレンズ装置１０では、第１群保持筒１５、第２群保持筒１６、第３群保持枠１７、第４群保持枠１８が固定筒１９に組み込まれている。第４群保持枠１８には、第４群レンズ２４が保持され、ガイド軸４９，５０がスライド自在に結合される。ガイド軸４９は、固定筒１９に固定される。ガイド軸５０は、一端が第２群保持筒１６にスライド自在に嵌合し、他端が固定筒１９に対して光軸方向に位置決めされ、且つ光軸Ｌと略直交する方向に移動自在とされた仮止め状態とする。ガイド軸５０を光軸Ｌと略直交する方向に移動させることにより第４群保持枠１８が移動して第４群レンズ２４の偏心調整が行われる。【選択図】        図１
2005148439.tif 000002
【特許請求の範囲】
【請求項１】
レンズを保持する保持枠がスライド自在に結合するガイド軸を設けた鏡筒で、前記レンズの偏心を調整するレンズの偏心調整方法において、
前記ガイド軸の一端部を前記鏡筒に対して固定し、他端部をガイド軸の軸方向と直交する方向に所定隙間量分だけ移動自在で且つ軸方向には位置決めされた状態にして前記鏡筒に仮止めするとともに、このガイド軸に前記保持枠をスライド結合させた状態で、前記ガイド軸を光軸と略直交する方向に移動させて前記レンズの偏心を調整し、このレンズ偏心調整の後、前記ガイド軸を前記鏡筒に固着させることを特徴とするレンズの偏心調整方法。
【請求項２】
レンズを保持する保持枠と、この保持枠がスライド結合するガイド軸と、このガイド軸が固定される鏡筒とからなるレンズ装置において、
前記鏡筒には、前記ガイド軸の端部をガイド軸の軸方向と直交する方向に所定隙間量分だけ移動自在に保持し、且つ前記軸方向には位置決めされた状態で保持する仮止め保持手段を備えており、前記仮止め保持手段により前記ガイド軸を保持して仮止めするとともに、前記ガイド軸に前記保持枠をスライド結合させた状態で、前記ガイド軸を光軸と略直交する方向に移動させてレンズの偏心を調整した後、前記ガイド軸を前記鏡筒に固着させることを特徴とするレンズ装置。
【請求項３】
前記仮止め保持手段は、前記ガイド軸と一体に固着され、且つ前記鏡筒に形成された嵌合穴に対して、所定の隙間を持って嵌合する連結部材と、前記嵌合穴と前記連結部材との間に設けられ、前記連結部材を軸方向に付勢する付勢部材と、この付勢部材を前記連結部材に結合させる結合部材とからなり、前記付勢部材からの付勢を受けて前記鏡筒に前記連結部材が押し付けられることにより前記ガイド軸の光軸方向における位置決めが行われ、且つ前記連結部材が前記嵌合穴に対する所定隙間量分だけ光軸と略直交する方向に移動自在となっていることを特徴とする請求項２記載のレンズ装置。
【請求項４】
前記仮止め保持手段は、前記ガイド軸と一体に固着され、且つ前記鏡筒に形成された嵌合穴に対して、所定の隙間を持って嵌合する連結部材、この連結部材の一端部に接触して前記連結部材を付勢する板ばねと、この板ばねを前記鏡筒に結合させる結合部材とからなり、前記板ばねからの付勢を受けて前記鏡筒に前記連結部材が押し付けられることにより前記ガイド軸の光軸方向における位置決めが行われ、且つ前記連結部材が前記嵌合穴に対する所定隙間量分だけ光軸と略直交する方向に移動自在となっていることを特徴とする請求項２記載のレンズ装置。
【発明の詳細な説明】
【技術分野】
【０００１】
本発明は、写真用カメラ、電子スチルカメラ、ビデオカメラ、プロジェクター、及び写真用プリンタ等の光学機器に用いられるレンズの偏心調整方法、及びその方法を用いてレンズの偏心を調整することができるレンズ装置に関するものである。
【背景技術】
【０００２】
ズームレンズ装置は、複数のレンズ群で構成されており、各レンズ群は、単レンズの光軸が正確に一致するように保持枠に組み込まれる。同時にレンズとレンズの間隔も所定の間隔に保たれる。さらに特許文献１に記載されているように、鏡筒の内部に設けたガイド軸に沿ってスライド自在に保持枠を取り付けているものがある。このようなレンズ装置では、レンズ群を光軸方向に沿って正確且つスムーズに移動できるように、精密に組み立てられていることが求められる。
【０００３】
上述したようなレンズ装置では、各保持枠、鏡筒、ガイド軸などの各部品を精度良く形成しても、これらを組み立てたとき、個々のガタの累積により動的なガタが多くなり、変倍や焦点動作のとき保持枠を移動させると、光軸からのずれが変化して解像力や低下したり、焦点が合わないなどの不都合が生じる。
【０００４】
そこで、従来の調整方法としては、ガイド軸に保持枠を取り付けた状態で、鏡筒にガイド軸をネジ止めして固定し、レンズの光軸の位置を確認した後、光軸が偏心していたら、ガイド軸のネジを緩めて位置を修正し、再度ネジを締め込むという作業を繰り返していた。
【０００５】
【特許文献１】特開２０００−２７５４９４号公報
【発明の開示】
【発明が解決しようとする課題】
【０００６】
しかしながら、上述した調整方法では、精度良く組み立てるためには、ネジを何度も締め直さなければならず、調整作業に時間がかかり、作業効率が低下する欠点があった。
【０００７】
本発明は、レンズの保持枠をガイドするガイド軸を鏡筒に固定するときに、レンズの偏心調整のために何度も固定し直すことがなく、容易に調整作業を行うことができるレンズの偏心調整方法及びレンズ装置を提供することを目的とする。
【課題を解決するための手段】
【０００８】
本発明は、レンズを保持する保持枠がスライド自在に結合するガイド軸を設けたレンズ鏡筒で、前記レンズの偏心を調整するレンズの偏心調整方法において、前記ガイド軸の一端部を前記レンズ鏡筒に対して固定し、他端部をガイド軸の軸方向と直交する方向に所定隙間量分だけ移動自在で且つ軸方向には位置決めされた状態にして前記レンズ鏡筒に仮止めするとともに、このガイド軸に前記保持枠をスライド結合させた状態で、前記ガイド軸を光軸と略直交する方向に移動させて前記レンズの偏心を調整し、このレンズ偏心調整の後、前記ガイド軸を前記鏡筒に固着させることを特徴とする。
【０００９】
また、本発明は、レンズを保持する保持枠と、この保持枠がスライド結合するガイド軸と、このガイド軸が固定される鏡筒とからなるレンズ装置において、前記鏡筒には、前記ガイド軸の端部をガイド軸の軸方向と直交する方向に所定隙間量分だけ移動自在に保持し、且つ前記軸方向には位置決めされた状態で保持する仮止め保持手段を備えており、前記仮止め保持手段により前記ガイド軸を保持して仮止めするとともに、前記ガイド軸に前記保持枠をスライド結合させた状態で、前記ガイド軸を光軸と略直交する方向に移動させてレンズの偏心を調整した後、前記ガイド軸を前記鏡筒に固着させることを特徴とする。
【００１０】
なお、前記仮止め保持手段は、前記ガイド軸と一体に固着され、且つ前記レンズ鏡筒に形成された嵌合穴に対して、所定の隙間を持って嵌合する連結部材と、前記嵌合穴と前記連結部材との間に設けられ、前記連結部材を軸方向に付勢する付勢部材と、この付勢部材を前記連結部材に結合させる結合部材とからなり、前記付勢部材からの付勢を受けて前記レンズ鏡筒に前記連結部材が押し付けられることにより前記ガイド軸の光軸方向における位置決めが行われ、且つ前記連結部材が前記嵌合穴に対する所定隙間量分だけ光軸と略直交する方向に移動自在となっていることが好ましい。また、前記仮止め保持手段は、前記ガイド軸と一体に固着され、且つ前記レンズ鏡筒に形成された嵌合穴に対して、所定の隙間を持って嵌合する連結部材、この連結部材の一端部に接触して前記連結部材を付勢する板ばねと、この板ばねを前記レンズ鏡筒に結合させる結合部材とからなり、前記板ばねからの付勢を受けて前記レンズ鏡筒に前記連結部材が押し付けられることにより前記ガイド軸の光軸方向における位置決めが行われ、且つ前記連結部材が前記嵌合穴に対する所定隙間量分だけ光軸と略直交する方向に移動自在となっていることも効果的である。
【発明の効果】
【００１１】
本発明は、レンズの偏心調整作業を容易に行うことが可能であり、作業時間を短縮できるという利点がある。
【発明を実施するための最良の形態】
【００１２】
本発明に係るレンズ装置としてのズームレンズ装置を図１及び図２に示す。このズームレンズ装置１０は、固体撮像素子１１が組み付けられ、撮像ユニットとしてデジタルカメラなどに組み込まれる。なお、説明の都合上、図中前方側を被写体側、後方を撮像面側と称して説明する。
【００１３】
このズームレンズ装置１０は、被写体側から像面側に向かって順に、第１群保持筒１５、第２群保持筒１６、第３群保持枠１７、及び第４群保持枠１８が、固定筒１９の内部に組み込まれており、固定筒１９に対して第１，２群保持枠１５，１６及び第３群保持筒１７，１８が繰り出し及び繰り込みすることによって変倍動作及び焦点調節動作が行われる。なお、第１，２群保持枠１５，１６及び第３群保持筒１７，１８には、撮影レンズを構成する第１〜４群レンズ２１〜２４がそれぞれ保持されている。
【００１４】
また、ズームレンズ装置１０には、変倍動作の駆動源となる変倍モータ２６、この変倍モータ２６の回転駆動が入力される回転筒２７が設けられている。回転筒２７は、固定筒１９の外周面に支持される。この回転筒２７の外周には、ギヤ２７ａが形成されており、このギヤ２７ａに変倍モータ２６の駆動が伝達され、回転筒２７が固定筒１９の周りを回転する。また、回転筒２７の内周面には、カム溝２８，２９が形成されている。
【００１５】
第１群保持筒１５は、その先端側に、第１群レンズ２１が固着されている。この第１  群保持筒１５の後端外周面には、ガイドピン３１が設けられている。このガイドピン３１は、固定筒１９に形成されたガイド溝３２を貫通して、回転筒２７のカム溝２８に係合する。なお、ガイドピン３１は、ガイド溝３２に対してスライド自在に嵌合しており、且つガイド溝３２は、ガイドピン３１の光軸Ｌ周りの移動を規制している。これによって、第１群保持筒１５は、固定筒１９に対して光軸方向に移動自在、且つ回転止めが行われた状態で支持される。回転筒２７が回転すると、カム溝２８のリードに従ってガイドピン３１が進退する。これによって、第１群保持筒１５は光軸方向に沿って移動する。
【００１６】
第２群保持筒１６も第１群保持筒１５と同様に、先端側に第２群レンズ２２が固着され、後端外周面には、ガイドピン３３が設けられている。ガイドピン３３は、固定筒１９に形成されたガイド溝３４を貫通して、回転筒２７のカム溝２９に係合する。なお、ガイドピン３３は、ガイド溝３４に対してスライド自在に嵌合し、且つガイド溝３４がガイドピン３３の光軸Ｌ周りの移動を規制している。これによって、第２群保持筒１６は、固定筒１９に対して光軸方向に移動自在、且つ回転止めが行われた状態で支持される。回転筒２７が回転すると、カム溝２９のリードに従ってガイドピン３３が進退する。これによって、第２群保持筒１６は、光軸方向に沿って移動する。
【００１７】
第３群保持枠１７には、第３群レンズ２３が中央部に固着されているとともに、ガイド手段３６が設けられている。ガイド手段３６は、嵌合ボス３７、嵌合突出部３８、及び一対のガイド軸３９、４０からなる。嵌合ボス３７及び嵌合突出部３８は、第３群レンズ１７を保持する略円筒状の枠部４１の後端部に一体に形成されている。嵌合突出部３８は、枠部４１の外周面から突出するように形成されており、光軸Ｌと直交する方向に切り欠かれた切欠き部３８ａが形成されている。嵌合ボス３７は、光軸Ｌを中心にして嵌合突出部３８と約１８０°回転対称な位置に設けられており、光軸方向に沿って延びる嵌合穴３７ａが形成されている。嵌合ボス３７の嵌合穴３７ａ及び嵌合突出部３８の切欠き部３８
ａには、ガイド軸３９，４０がそれぞれスライド自在に嵌合する。ガイド軸３９，４０は円柱状に形成され、光軸Ｌと平行に位置するように、先端側が第２群保持筒１６に、後端側が固定筒１９に保持される。これによって、第３群保持枠１７は、光軸方向に沿って移動自在となっている。なお、ガイド軸３９，４０の固定方法としては、後端側が固定筒１９に係合及び接着などにより固着され、先端側は、第２群保持筒１６に形成された嵌合穴（図示せず）にスライド自在に嵌合することによって行われる。また、この第３群保持枠１７は、枠部４１の背面側に形成された開口部４２に第４群保持枠１８が係合する。これによって、第３群保持枠１７は、第４群保持枠１８と一体になって移動する。
【００１８】
第４群保持枠１８には、第４群レンズ２４が中央部に固着されているとともに、ガイド手段４５及び結合部４６が設けられている。ガイド手段４５は、嵌合ボス４７、嵌合突出部４８、及びガイド軸４９、５０からなる。嵌合ボス４７及び嵌合突出部４８は、第４群レンズ２４を保持する略円筒状の枠部５１の後端部に一体に形成されている。嵌合突出部４８は、枠部５１の外周面から突出するように形成されており、光軸Ｌと直交する方向に切り欠かれた切欠き部４８ａが形成されている。嵌合ボス４７は、光軸Ｌを中心にして嵌合突出部４８と約１８０°回転対称な位置に設けられており、光軸方向に沿って延びる嵌合穴４７ａが形成されている。嵌合ボス４７の嵌合穴４７ａ及び嵌合突出部４８の切欠き部４８ａには、ガイド軸４９，５０がそれぞれスライド自在に嵌合する。ガイド軸４９，５０は円柱状に形成され、光軸Ｌと平行に位置するように固定される。これによって、第４群保持枠１８は、光軸方向に沿って移動自在となっている。
【００１９】
なお、ガイド軸４９，５０の先端部は、詳しくは、図２に示すように、第２群保持筒１６の後端部に一体に形成された嵌合ボス５２，５３に支持される。この嵌合ボス５２，５３は、ガイド軸４９，５０の軸径に合わせた嵌合穴５２ａ，５３ａを有しており、ガイド軸４９，５０とスライド自在に嵌合する。
【００２０】
ガイド軸４９の固定方法としては、後端側が固定筒１９に係合及び接着などにより固着され、先端側は、上述の嵌合穴にスライド自在に嵌合することによって行われる。
【００２１】
ガイド軸５０は、詳しくは図３に示すように、円柱形状に形成され、後端部には、連結部材５６が一体に設けられている。連結部材５６は、円筒部５７と、この円筒部５７の前端側に配設されるフランジ部５８とからなり、中央に貫通穴５９が形成されている。
【００２２】
また、フランジ部５８には、外周から中心に向かって切り欠かれた切欠き部５８ａが形成されている。連結部材５６は、貫通穴５９にガイド軸５０の後端部５０ａを圧入させることによってガイド軸５０に固着される。
【００２３】
固定筒１９は、略円筒状に形成され、その後端部には、支持板６１を介して固体撮像素子１１が組み付けられる。固体撮像素子１１は、受光素子１１ａ，半導体基板１１ｂなどからなり、半導体基板１１ｂが支持板６１に固着される。支持板６１には、係合穴６１ａが複数形成されており、固定筒１９に形成された係合ピン６２と係合する。固体撮像素子１１が固着された支持板６１の係合穴６１ａに係合ピン６２を係合させて固定筒１９の後端部に固体撮像素子１１が支持される。また、固定筒１９の内部には、フォーカスモータ６３が固定されている。
【００２４】
さらにこの固定筒１９の後端部には、係合ボス６５，仮止めボス６６が設けられている。係合ボス６５は、ガイド軸４９と係合する係合穴６５ａが形成されている。
【００２５】
仮止めボス６６には、詳しくは図３、図４及び図５に示すように、被写体側に回転止め突起６７が設けられ、中央部には、貫通穴６８が形成されている。貫通穴６８は、被写体側の嵌合部６８ａと、像面側の受け部６８ｂとからなり、嵌合部６８ａより受け部６８ｂの径が大きく形成されている。
【００２６】
また、仮止めボス６６には、像面側から貫通穴６８の軸方向に沿って複数のスリット６９（図４，５参照）が形成されている。さらに支持板６１には、仮止めボス６６の位置に合わせた開口部７０が形成されており、この開口部７０の周囲には、スリット６９の位置に合わせたガイド溝７０ａが形成されている。ガイド溝７０ａは、像面側から被写体側に向かってスリット６９へ傾斜するように形成されている。
【００２７】
この仮止めボス６６には、ガイド軸５０が連結部材５６を介して仮止めされ、第４群レンズ２４の偏心調整を行った後、連結部材５６が固定筒１９に固着される。仮止めボス６６に連結部材５６を仮止めする仮止め保持手段としては、コイルばね７２、ワッシャー７３、ネジ７４が用いられる。ワッシャー７３は、内径がネジ７４に、外径が仮止めボス６６に合わせてそれぞれ形成されている。
【００２８】
仮止めボス６６に連結部材５６を仮止めする手順としては、先ず連結部材５６の円筒部５７を嵌合部６８ａに、被写体側からフランジ部５８が仮止めボス６６に当接するまで挿入する。また、このときフランジ部５８の切欠き部５８ａを回転止め突起６７に係合させる。嵌合部６８ａは、円筒部５７に対して隙間を持って嵌合するように形成されており、嵌合部６８ａに円筒部５７を嵌合させると、ガイド軸５０の軸方向と直交する方向に所定隙間量分だけ移動自在となる。また、円筒部５７は、嵌合部６８ａよりも軸長が長く形成されており、受け部６８ｂへ貫通する。
【００２９】
嵌合部６８ａに円筒部５７を嵌合させた後、コイルばね７２を円筒部５７に貫通させながら受け部６８ｂと円筒部６８との隙間にコイルばね７２を挿入する。次にコイルばね７２を圧縮しつつワッシャー７３を介してネジ７４を円筒部６８の後端部に螺合させ、連結部材５６を仮止めボス６６にネジ止めする。これによって連結部材５６は、ネジ７４によるネジ止めでガイド軸５０の軸方向に対して位置決めされ、且つガイド軸５０の軸方向と直交する方向に所定隙間量分だけ移動自在な仮止め状態となる。
【００３０】
このようにして仮止めされたガイド軸５０、及び固定筒１９に固定されたガイド軸４９には、第４群保持枠１８の嵌合穴４７ａ及び切欠き部４８ａがそれぞれ係合され、スライド自在に第４群保持枠１８が取り付けられる。
【００３１】
さらに第４群保持枠１８には、図３に示すように、結合部４６を介してリードスクリュー７６が連結される。リードスクリュー７６は、固定筒１９の内部に形成された保持部１９ｃによって保持されている。このリードスクリュー７６は、フォーカスモータ６３の回転軸と一体となるように連結されており、フォーカスモータ６３の回転駆動が入力される。
【００３２】
結合部４６は、係止爪７７、螺合部材７８、コイルばね７９からなる。係止爪７７は、第４群保持枠１８の枠部５１と一体に、嵌合ボス４７及び嵌合突出部４８から角度を約９０°ずらした位置に設けられており、先端部７７ａが被写体側へ突出するように形成されている。
【００３３】
螺合部材７８は、切欠き部７８ａが形成されており、この切欠き部７８ａの一部に雌ネジ８１が形成されている。この雌ネジ８１には、リードスクリュー７６が螺合される。さらに螺合部材７８には、係止爪８２及び当接部８３が一体に形成されている。この係止爪８２は、係止爪７７とは反対に像面側へ先端部８２ａが突出するように形成されている。また、当接部８３は、その先端面８３ａが係止爪７７の背面に当接する。
【００３４】
この螺合部材７８の係止爪８２と、枠部５１に形成された係止爪７７との間にコイルばね７９が掛けられる。コイルばね７９の付勢によって、螺合部材７８は枠部５１に押し付けられて結合する。これによって、リードスクリュー７６が回転すると、第４群保持枠１８はリードスクリュー７６のリードに従って進退し、合焦動作が行われる。また、このように結合部４６を介して第４保持枠１８がリードスクリュー７６に連結されることによって、第４保持枠１８の光軸方向における位置決めが行われる。
【００３５】
上記構成の作用について以下に説明する。レンズ装置１０の組み立て工程では、先ず、第３群保持枠１７をガイド手段３６でスライド自在に支持しつつ、このガイド手段３６のガイド軸３９，４０の先端側を第２群保持筒１６の嵌合穴（図示せず）に嵌合させて第２群保持筒１６に対してスライド自在に結合する。
【００３６】
次に第４群保持枠１８をガイド手段４５でスライド自在に支持しつつ、このガイド手段４５のガイド軸４９，５０の先端側を第２群保持筒１６の嵌合穴５２ａ，５３ａに嵌合させて第２群保持筒１６に対してスライド自在に結合する。このとき、ガイド軸５０には、連結部材５６が圧入により既に固着している。また、固定筒１９には、回転筒２７及びリードスクリュー７６が保持され、さらにリードスクリュー７６には螺合部材７８が螺合されている。
【００３７】
次に、上述したように第２群保持筒１６に対して第３及び第４群保持枠１７，１８をスライド自在に支持した状態で、螺合部材７８と係止爪７７との間にコイルばね７９を掛けてリードスクリュー７６と第４群保持枠１８とを連結状態にする。そして、この状態のまま、第２群保持筒１６のガイドピン３３を、固定筒１９のガイド溝３２に嵌合させて第２群保持筒１６を保持させつつ、ガイド軸３９，４０，４９を固定筒１９に固定するとともに、ガイド軸５０の仮止めを行う。
【００３８】
上述したようにコイルばね７２、ワッシャー７３、ネジ７４により連結部材５６を固定筒１９へ仮止めし、支持板６１、固体撮像素子１１、回転筒２７、及び第１群保持筒１５などの組み付けを行って、仮組み状態とした後、第１〜４群レンズ２１〜２４の偏心調整を行う。
【００３９】
この第１〜４群レンズ２１〜２４の偏心調整では、先ず固体撮像素子１１、及びモータ２６，６３に検査用の回路を接続して撮像解像力検査を行う。撮像解像力検査では、各変倍位置で所定距離の位置にある撮像解像力テストチャートにピントを合わせて、固体撮像素子１１の結像面で撮像画面に対応する範囲に露光されたテストチャートから解像力を読み取る。そして、規定の解像力が得られない場合には、ガイド軸５０を光軸Ｌと略直交する方向に移動させて偏心調整を行う。このとき、ガイド軸５０の後端部５０ａは仮止め状態であり、軸方向と直交する方向に所定隙間量分だけ移動可能なので、この所定隙間量の範囲内でガイド軸５０を容易に移動させることができる。そして、ガイド軸５０を移動させることによって第４群保持枠１８が移動するので、第１〜３群レンズ２１〜２３に対する第４群レンズ２４の相対的な位置が変化する。なお、この作業は、固体撮像素子に露光されたテストチャートの解像力を確認しながら、ガイド軸５０を徐々に移動させて微調整する。そして、規定の解像力が得られた後に、支持板６１に形成されたガイド溝７０ａから接着剤を流下させる。これにより、ガイド溝７０ａ及びスリット６９を通って、連結部材５６と貫通穴６８との隙間に接着剤が流れ込む。この状態で所定時間が経つと接着剤が乾燥するので、ガイド軸５０が連結部材５６を介して固定筒１９に固着される。このように、ガイド軸５０の固定を何度も繰り返すことなく、容易に偏心調整を行うことが可能であり、簡単な調整作業だけで、精密にレンズの組み付けを行うことができ、作業時間の短縮にもつながる。
【００４０】
上記実施形態においては、ガイド軸５０の仮止め保持手段として、ガイド軸５０と一体に固着した連結部材５６をコイルばね７２、ワッシャー７３、ネジ７４によって仮止めし、固定筒１９と所定隙間量分だけ移動自在としているが、仮止め保持手段は、このような構成に限るものではなく、図６，７に示すような構成でもよい。なお、図６，７においては、上記実施形態と同様の部品及び部材を使用するものについては、同符号を付して説明を省略する。
【００４１】
この図６，７に示す仮止め保持手段では、ガイド軸５０と一体に固着した連結部材９０、板ばね９１、及びネジ９２から構成され、この仮止め保持手段によって、ガイド軸５０は、固定筒９５に仮止めされる。なお、この固定筒９５は、上記実施形態の固定筒１９に形成された仮止めボス６６に代えて仮止めボス９６が形成されており、それ以外の構成は、固定筒１９と同様になっている。
【００４２】
連結部材９０は、円筒部９７と、この円筒部９７の後端側に配設されるフランジ部９８とからなり、中央に貫通穴９９が形成されている。この連結部材９０は、貫通穴９９にガイド軸５０を圧入させることによってガイド軸５０に固着される。なお、この連結部材９０に圧入されたガイド軸５０の後端部５０ａは、連結部材９０を貫通し、フランジ部９８から像面側へ突出している。
【００４３】
仮止めボス９６には、貫通穴１０１及びネジ止め穴１０２が光軸Ｌと直交する方向に並んで形成されている。なお、上述した仮止め保持手段の板ばね９１には、仮止めボス９６の貫通穴１０１及びネジ止め穴１０２に合わせた位置に、貫通穴９１ａ及びネジ止め穴９１ｂが形成されている。
【００４４】
貫通穴１０１は、像面側の嵌合部１０１ａと、被写体側の非嵌合部１０１ｂとからなり、嵌合部１０１ａより非嵌合部１０１ｂの径が大きく形成されている。仮止めボス９６に連結部材９０を仮止めする手順としては、先ずガイド軸５０を固定筒９５の像面側から被写体側に向かって貫通穴１０１に挿入し、連結部材９０の円筒部９７を嵌合部１０１ａに嵌合させる。
【００４５】
嵌合部１０１ａに円筒部９７を嵌合させた後、板ばね９１の貫通穴９１ａにガイド軸５０の後端部５０ａを嵌合させながら、板ばね９１を固定筒９５に固定する。なお、板ばね９１の固定筒９５への固定は、板ばね９１のネジ止め穴９１ｂにネジ９２を通し、仮止めボス９６のネジ止め穴１０２にネジ９２を螺合させることによって行う。なお、板ばね９１の貫通穴９１ａは、仮止めボス９６の貫通穴１０１よりも直径が大きく形成されている。そして、仮止めボス９６の貫通穴１０１は、ガイド軸５０の後端部５０ａに対して隙間を持って嵌合するように形成されている。これによって、板ばね９１を介して固定筒９５に仮止めされた連結部材９０は、ガイド軸５０の位置方向に対して位置決めされ、且つガイド軸５０の軸方向と直交する方向に所定隙間量分だけ移動自在な仮止め状態となる。
【００４６】
このようにして仮止めされたガイド軸５０は、ガイド軸４９とともに、上記実施形態と同様に第４群保持枠１８をスライド自在に保持する。そして、組み立て工程では、連結部材９０が軸方向と直交する方向に所定隙間量分だけ移動可能なので、この所定隙間量の範囲内でガイド軸５０を容易に移動させることができるから、上記実施形態と同様に容易に偏心調整を行うことが可能である。
【図面の簡単な説明】
【００４７】
【図１】レンズ装置の概略を示す分解斜視図である。
【図２】レンズ装置の垂直断面形状を示した要部断面図である。
【図３】ガイド軸及びこのガイド軸に連結する連結部材周辺の構成を示す分解斜視図である。
【図４】連結部材の周辺の構成を示す要部断面図である。
【図５】連結部材が嵌合する貫通穴周辺の構成を示す分解斜視図である。
【図６】本発明の第２実施形態における仮止め保持手段の構成を示す分解斜視図である。
【図７】本発明の第２実施形態における貫通穴周辺の構成を示す分解斜視図である。
【符号の説明】
【００４８】
１０    レンズ装置
１５，１６    保持筒
１７，１８    保持枠
３９，４０，４９，５０    ガイド軸
２１〜２４    レンズ
５６，９０    連結部材
【図１】
2005148439.tif 000003
【図２】
2005148439.tif 000004
【図３】
2005148439.tif 000005
【図４】
2005148439.tif 000006
【図５】
2005148439.tif 000007
【図６】
2005148439.tif 000008
【図７】
2005148439.tif 000009